(57)【要約】【課題】従来の蒸気排出装置は、前面の蒸気排気口から排出される蒸気によって、周辺の壁等に黴が発生する虞がある。これを防止するためには、換気扇を運転するか窓を開けて換気するなどの作業が必要となり、冬季などの低温時期には部屋の温度低下を来たし、部屋の空気調和が悪影響を受け好ましくない。本発明は、炊飯器、湯沸かし器等の蒸気発生を伴う器具から発生する蒸気をそのまま蒸気排気口から排出するのではなく、除湿された空気として排出することにより解決する。【解決手段】炊飯器等が収納設置される収納部の天井面に開口した蒸気吸い込み口から吸い込んだ蒸気を収納部に隣接配置した除湿装置へ導くよう収納部の天井部に形成した蒸気吸い込みダクトと、除湿装置にて除湿された空気を収納部の前面側へ排出する排出口を備え、蒸気発生器具から発生する蒸気は、除湿装置に設けた送風機によって収納部内の空気と共に蒸気吸い込み口から吸い込まれて除湿装置へ導入されて除湿された後、排出口から排出される。【選択図】図１
2009180387.tif 000002
【特許請求の範囲】
【請求項１】
炊飯器、湯沸かし器等の蒸気発生器具が収納設置される収納部と、前記収納部に隣接配
置した除湿装置と、前記収納部の天井面に開口した蒸気吸い込み口から吸い込んだ蒸気を
前記除湿装置へ導くよう前記収納部の天井部に形成した蒸気吸い込みダクトと、前記除湿
装置にて除湿された空気を前記収納部の前面側へ排出する排出口を備え、前記蒸気発生器
具から発生する蒸気は、前記除湿装置に設けた送風機によって、前記収納部内の空気と共
に前記蒸気吸い込み口から吸い込まれて前記蒸気吸い込みダクトを通り前記除湿装置へ導
入されて除湿された後、前記排出口から排出されることを特徴とする蒸気排出装置。
【請求項２】
前記除湿装置は、前記収納部に収納された前記蒸気発生器具が沸騰モードになったとき
定常運転モードとなり、前記沸騰モードの終了によって前記除湿装置が停止モードとなる
か停止前の後排気運転モードとなることを特徴とする請求項１に記載の蒸気排出装置。
【請求項３】
前記収納部には前記蒸気発生器具の電源プラグを差し込む電源コンセントの差し込み口
が設けられ、前記電源コンセントを流れる電流の大きさによって前記収納部に収納された
前記蒸気発生器具が沸騰モードか前記沸騰モードの終了かを判定する制御部を備え、前記
制御部は、前記沸騰モードになったとき前記除湿装置を定常運転モードとし、前記沸騰モ
ードの終了によって前記除湿装置を停止モードとするか前記除湿装置に設けた送風機を前
記定常運転モードよりも低速運転する後排気運転モードとすることを特徴とする請求項１
に記載の蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この特許文献１のものでは、ダクトの前端部に配置された送風機の運転によって各蒸気
吸込口から吸い込んだ蒸気が、各吸込み口８ａ、８ｂからダクトへ吸い込まれ、前面の蒸
気排気口から排出される。このため、蒸気排気口から排出される蒸気によって、収納庫の
周辺の空気は多くの湿気を帯び、それによって、周辺の壁等に黴が発生する虞がある。こ
れを防止するためには、換気扇を運転するか窓を開けて換気するなどの作業が必要となり
、冬季などの低温時期には、部屋の温度低下を来たし、部屋の空気調和が悪影響を受け、
好ましくない。
【０００４】
本発明はこのような点に鑑み、炊飯器、湯沸かし器等の蒸気発生を伴う器具から発生す
る蒸気をそのまま蒸気排気口から排出するのではなく、除湿された空気として排出するこ
とにより、周辺の壁等への黴の発生を防止すると共に、上記のような部屋の空気調和の悪
影響を防止する技術を提供するものである。また、蒸気発生器具から発生する蒸気は、除
湿装置に設けた送風機によって収納部内の空気と共に蒸気吸い込み口から吸い込み、除湿
装置へ導入して除湿した後、排出口から排出されるようにして、蒸気排出用送風機を特別
に設ける必要がない構成とする。更に、蒸気発生器具の動作状態に応じて除湿装置を適切
な状態に自動運転制御できる技術を提供するものである。
【課題を解決するための手段】
【０００５】
第１発明の蒸気排出装置は、炊飯器、湯沸かし器等の蒸気発生器具が収納設置される収
納部と、前記収納部に隣接配置した除湿装置と、前記収納部の天井面に開口した蒸気吸い
込み口から吸い込んだ蒸気を前記除湿装置へ導くよう前記収納部の天井部に形成した蒸気
吸い込みダクトと、前記除湿装置にて除湿された空気を前記収納部の前面側へ排出する排
出口を備え、前記蒸気発生器具から発生する蒸気は、前記除湿装置に設けた送風機によっ
て、前記収納部内の空気と共に前記蒸気吸い込み口から吸い込まれて前記蒸気吸い込みダ
クトを通り前記除湿装置へ導入されて除湿された後、前記排出口から排出されることを特
徴とする。
【０００６】
第２発明は、第１発明において、前記除湿装置は、前記収納部に収納された前記蒸気発
生器具が沸騰モードになったとき定常運転モードとなり、前記沸騰モードの終了によって
前記除湿装置が停止モードとなるか停止前の後排気運転モードとなることを特徴とする。
【０００７】
第３発明は、第１発明において、前記収納部には前記蒸気発生器具の電源プラグを差し
込む電源コンセントの差し込み口が設けられ、前記電源コンセントを流れる電流の大きさ
によって前記収納部に収納された前記蒸気発生器具が沸騰モードか前記沸騰モードの終了
かを判定する制御部を備え、前記制御部は、前記沸騰モードになったとき前記除湿装置を
定常運転モードとし、前記沸騰モードの終了によって前記除湿装置を停止モードとするか
前記除湿装置に設けた送風機を前記定常運転モードよりも低速運転する後排気運転モード
とすることを特徴とする。
【発明の効果】
【０００８】
第１発明によって、炊飯器、湯沸かし器等の蒸気発生を伴う器具から発生する蒸気をそ
のまま蒸気排気口から排出するのではなく、除湿された空気として排出することにより、
周辺の壁等への黴の発生を防止すると共に、上記のような部屋の空気調和の悪影響を防止
できるものとなる。また、蒸気発生器具から発生する蒸気は、除湿装置に設けた送風機に
よって収納部内の空気と共に蒸気吸い込み口から吸い込み、除湿装置へ導入して除湿した
後、排出口から排出されるため、蒸気排出用送風機を特別に設ける必要がない構成となる
。
【０００９】
第２発明では、第１発明の効果に加えて、除湿装置の送風機は、蒸気発生器具が沸騰モ
ードのとき定常運転モードを行うように制御することにより、蒸気発生器具の動作に合わ
せて効果的な除湿動作が達成できるようになる。
【００１０】
第３発明では、第１発明の効果に加えて、収納部に備えた蒸気発生器具の電源プラグを
差し込む電源コンセントを流れる電流の大きさによって、制御部が収納部に収納された蒸
気発生器具が沸騰モードか沸騰モードの終了かを判定することにより、沸騰モードになっ
たとき除湿装置の送風機を定常運転モードとし、沸騰モードの終了によって定常運転モー
ドを終了する制御によって、除湿機を不必要に運転することがなく、効果的である。蒸気
発生器具の動作状態に応じて除湿装置を適切な状態に自動運転制御できるものとなる。
【発明を実施するための最良の形態】
【００１１】
本発明の蒸気排出装置は炊飯器、湯沸かし器等の蒸気発生器具が収納設置される収納部
と、前記収納部に隣接配置した除湿装置と、前記収納部の天井面に開口した蒸気吸い込み
口から吸い込んだ蒸気を前記除湿装置へ導くよう前記収納部の天井部に形成した蒸気吸い
込みダクトと、前記除湿装置にて除湿された空気を前記収納部の前面側へ排出する排出口
を備え、前記蒸気発生器具から発生する蒸気は、前記除湿装置に設けた送風機によって、
前記収納部内の空気と共に前記蒸気吸い込み口から吸い込まれて前記蒸気吸い込みダクト
を通り前記除湿装置へ導入されて除湿された後、前記排出口から排出されるものであり、
本発明の実施例を以下に記載する。
【実施例１】
【００１２】
本発明の実施形態について説明する。図１は本発明に係る蒸気排出装置の正面斜視図、
図２は本発明に係る蒸気排出ユニットと蒸気排出装置の機体との関係を示す斜視図、図３
は本発明に係る蒸気排出ユニットのダクト部材の配置構成を説明する上面斜視図、図４は
本発明に係る蒸気排出装置の右側の蒸気排出通路と除湿装置のダクト構成を説明する縦断
側面図、図５は本発明に係る冷媒圧縮方式の除湿装置の構成を説明する縦断側面図、図６
は本発明に係る除湿ロータ方式の除湿方式の説明図、図７は本発明に係る除湿ロータ方式
の除湿装置の構成を説明する縦断側面図である。
【００１３】
これらの図において、１は本発明の蒸気排出装置を示しており、蒸気排出装置１の機体
２は、炊飯器や湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板１７と収納部（収納室
）３の天井面を形成する天井板５との間に、後述の各種ダクト及び蒸気排出ファンを備え
た蒸気排出通路ＪＨＴを形成し、収納部（収納室）３内の蒸気を収納部（収納室）３の天
井面に形成した蒸気吸い込み口から吸い込み、この蒸気排出通路ＪＨＴを通して化粧パネ
ル４に形成した蒸気排出口７から収納部（収納室）３外へ排出する構成である。
【００１４】
蒸気排出装置１の機体２は天板２Ｔを有し、蒸気排出ユニットＪＵは、機体２の左右側
壁上部に前後方向水平状態に取り付けたレールＲＬに載置されて、天板２Ｔの下側空間に
前後方向に収納引き出し可能に支持され、収納した所定状態を保持するように、レールＲ
Ｌにネジ等で固定している。この収納状態で、天井板５（蒸気排出ユニットＪＵから見れ
ば底板に相当）が、収納部（収納室）３の天井面を形成するようになる。
【００１５】
蒸気排出ユニットＪＵは、天板ＪＵＰと収納部（収納室）３の天井面を形成する天井板
５との間に、収納部（収納室）３の左側に収納設置される蒸気発生器具（実施例では電気
式湯沸かし器１１Ａ）から発生する蒸気を含んだ暖かい空気は、天井板５の開口５Ａに上
方へ窪んで形成した左側の第１蒸気吸い込み口６Ａから第１蒸気吸い込みダクトＤ１へ吸
い込まれ、また、右側に収納設置される蒸気発生器具（実施例では電気式炊飯器１１Ｂ）
から発生する蒸気を収納部（収納室）３の天井面に開口した右側の第２蒸気吸い込み口６
Ｂから第２蒸気吸い込みダクトＤ２へ吸い込まれる。そして、第１蒸気吸い込みダクトＤ
１と第２蒸気吸い込みダクトＤ２へ吸い込まれた蒸気を含んだ暖かい空気は、第１蒸気吸
い込みダクトＤ１と前記第２蒸気吸い込みダクトＤ２へ連通した共通の蒸気排出ダクトＤ
３を通って後述の除湿装置５０へ導かれ、除湿装置５０で除湿された後、収納部（収納室
）３の前面上部に設けた化粧パネル４に形成した蒸気排出口７から収納部（収納室）３外
へ排出される。
【００１６】
また、収納部（収納室）３の壁（図では背壁面）には、電気式湯沸かし器１１Ａや電気
式炊飯器１１Ｂ等の蒸気発生を伴う器具１１の電源用として、電源コンセント１０が取り
付けられている。実施例では、蒸気発生を伴う器具１１として湯沸かし器１１Ａと炊飯器
１１Ｂとを示しており、そのため、電源コンセント１０として、左側に湯沸かし器１１Ａ
用の差し込み口１０Ａが、そして右側に炊飯器１１Ｂ用の差し込み口１０Ｂを有する二口
用の電源コンセント１０を採用している。
【００１７】
第１蒸気吸い込み口６Ａと第２蒸気吸い込み口６Ｂは、前後位置と左右位置が収納部（
収納室）３の中心に対して対称的な配置であってもよいが、実施例では、第１蒸気吸い込
み口６Ａが収納部（収納室）３の左側部分の天井面の奥寄りに形成され、第２蒸気吸い込
み口６Ｂが収納部（収納室）３の右側部分の天井面の中央部分に形成されている。これは
、湯沸かし器１１Ｂと炊飯器１１Ａは、大きさや蒸気吐出口の位置等が異なるため、これ
に適合し易いことを考慮したものである。
【００１８】
収納部（収納室）３の前面上部に位置する化粧パネル４には、蒸気排出口７と操作パネ
ル１３が左右に配置されている。蒸気排出ユニットＪＵにおいて、第１蒸気吸い込み口６
Ａから吸い込まれた蒸気を含んだ暖かい空気と第２蒸気吸い込み口６Ｂから吸い込まれた
蒸気を含んだ暖かい空気は、共通の蒸気排出ダクトＤ３を流れるように、蒸気排出通路Ｊ
ＨＴが構成されている。
【００１９】
第１蒸気吸い込みダクトＤ１、第２蒸気吸い込みダクトＤ２、共通の蒸気排出ダクトＤ
３は、これらの部分を上方に膨らみ状に形成した合成樹脂製ダクト部材が、収納部（収納
室）３の天井面を形成する天井板５の上面に取り付けられることによって形成されている
。
【００２０】
化粧パネル４の後部にはマイクロコンピュータ式の制御部１２が収納され、化粧パネル
４の前面には操作パネル１３があり、操作パネル１３には、蒸気排出装置１の電源の入／
切（ＯＮ／ＯＦＦ）スイッチ部１４と動作モード選択スイッチ部１５や表示部１６などが
配置され、それぞれ制御部１２に電気的に接続され、蒸気排出ファン９Ａ、９Ｂも制御部
１２に電気的に接続されている。二口用の電源コンセント１０は、差し込み口１０Ａが湯
沸かし器１１Ａ用であり、差し込み口１０Ｂが炊飯器１１Ｂ用として、ラベル等で表示さ
れている。
【００２１】
除湿装置５０は、収納部３に隣接配置され、図示のものは、収納部３の左側に収納部３
と区画された室内に収納されている。除湿装置５０は、種々の方式が考えられるが、ここ
では冷媒圧縮方式と、ゼオライト等の水分吸着物質を担持した円筒型紙材の除湿ロータを
回転する除湿ロータ方式を用いた場合について説明する。
【００２２】
まず冷媒圧縮方式であるが、図５に示すように、電動圧縮機５１で圧縮されたガス冷媒
がコンデンサ５２のパイプ内を通る間に放熱して凝縮され、この凝縮された冷媒が減圧器
５３で減圧されて液化し、これがエバポレータ５４のパイプ内で蒸発し、この蒸発によっ
て周囲の熱を奪う。エバポレータ５４のパイプ内で蒸発した冷媒は、圧縮機５１へ帰還し
て再び圧縮されて、上記同様の循環を繰り返す。コンデンサ５２は、ガス冷媒が通るパイ
プの周囲に多数の放熱フィンを備え、エバポレータ５４は、液冷媒が通るパイプの周囲に
多数の吸熱フィンを備えている。入り口５６から入る湿気を含んだ湿潤空気が、エバポレ
ータ５４とコンデンサ５２を順次通過することによって、エバポレータ５４で除湿され、
コンデンサ５２で暖められた乾燥空気となって、出口５７から送出される基本動作は公知
である。
【００２３】
上記のように、第１蒸気吸い込み口６Ａから吸い込まれた蒸気を含んだ暖かい空気と、
第２蒸気吸い込み口６Ｂから吸い込まれた蒸気を含んだ暖かい空気は、共通の蒸気排出ダ
クトＤ３を通るため、この共通の蒸気排出ダクトＤ３を通る蒸気を含んだ暖かい空気（湿
潤空気）を入り口５６から導入して、エバポレータ５４の冷媒が通るパイプと前記フィン
間を通過させる。これによって、エバポレータ５４のパイプ内の冷媒は、通過する前記湿
潤空気から熱を奪い、この空気中の水分がエバポレータ５４の表面で凝縮しドレンパン５
８で集められて下方の水受け容器５５内に収容される。エバポレータ５４を通過したこの
湿度が低下した冷たい空気は、コンデンサ５２のパイプと前記フィン間を通過し、コンデ
ンサ５２の熱によって加温された乾燥空気となって、電動送風機９Ａを通り出口５７から
排出ダクトＤ４を経て、蒸気排出口７から収納部（収納室）３外へ排出される。水受け容
器５５は、除湿装置５０の前面または、蒸気排出装置１の側面から着脱自在に設けられて
いる。
【００２４】
このように、収納部３内の蒸気発生器具（実施例での電気式湯沸かし器１１Ａ及びまた
は電気式炊飯器１１Ｂ）から発生する蒸気を含んだ暖かい空気は、除湿装置５０が備えた
電動送風機９Ａの運転によって、第１蒸気吸い込み口６Ａ及び第２蒸気吸い込み口６Ｂか
ら吸い込まれ、共通の蒸気排出ダクトＤ３を通ってエバポレータ５４を通過し、ここで湿
気が奪われ、この湿度が低下した冷たい空気は、コンデンサ５２で暖められた乾燥空気と
なって、排出ダクトＤ４を経て蒸気排出口７から収納部（収納室）３外へ排出される。こ
のため、蒸気排出通路ＪＨＴには、特別に蒸気排出用の送風機を設ける必要がなく、蒸気
排出装置１で発生する蒸気は、除湿装置５０によって除湿されるため、蒸気排出装置１が
設置されたキッチンなどの部屋に湿気が充満することも防止できる。
【００２５】
次に、除湿ロータ方式の除湿装置５０を図６及び図７に基づき説明する。これの基本動
作は、特開平８−４９８９５号公報によって公知であるように、湿気を含んだ高温多湿空
気（湿潤空気）Ａが、電動送風機６２の運転によって導入され、電動機６１によって回転
する除湿ロータ６０の除湿処理部位６０Ａを通過する間に水分を吸着して除湿され、この
除湿された乾燥空気Ｂが放出される。また、除湿処理部位６０Ａで吸着した水分を蒸発さ
せるために、除湿ロータ６０の再生処理部位６０Ｂにおいて、電気ヒータ６３で加熱した
高温空気（再生空気）Ｃを通過させる。このように、除湿ロータ６０の水分の脱着を行う
。更に、再生処理部位６０Ｂで高温になった除湿ロータ６０に湿潤空気Ａの一部を熱回収
処理部６０Ｃに通過させて、除湿ロータ６０の温度を下げるように構成されている。
【００２６】
除湿ロータ６０は、シリカゲルにコバルト、鉄、マンガンなどの複数の金属を組み合わ
せて構成した水分の吸着性と脱着性を向上させた円筒型紙材構成のものや、ゼオライト等
の水分吸着物質を担持した円筒型紙材構成のものであり、電動機６１によって２分間で１
回転するよう極めて低速回転するものである。
【００２７】
このような除湿ロータ方式の除湿装置５０を収納部３に隣接配置した状態の空気の流れ
を図７に基づいて説明する。上記のように、第１蒸気吸い込み口６Ａから吸い込まれた蒸
気を含んだ暖かい空気と、第２蒸気吸い込み口６Ｂから吸い込まれた蒸気を含んだ暖かい
空気は、共通の蒸気排出ダクトＤ３を通るため、この共通の蒸気排出ダクトＤ３を通る蒸
気を含んだ暖かい空気（湿潤空気）Ａをシロッコファン形式の電動送風機６２の運転によ
って入り口６４から導入して、除湿ロータ６０の除湿処理部位６０Ａを通過させ、この除
湿処理部位６０Ａで湿潤空気Ａの水分を吸着された乾燥空気Ｂが、出口６５から排出ダク
トＤ４を経て、蒸気排出口７から収納部（収納室）３外へ排出される。
【００２８】
一方、除湿ロータ方式の除湿処理部位６０Ａで吸着した水分を蒸発させるために、除湿
ロータ６０の再生処理部位６０Ｂにおいて、電気ヒータ６３で加熱した高温空気（再生空
気）Ｃを通過させる。そして、この高温空気（再生空気）Ｃによって高温になった除湿ロ
ータ６０の温度を下げるために、除湿ロータ６０の熱回収処理部６０Ｃに電動送風機６２
によって湿潤空気Ａの一部を通過させて、除湿ロータ６０の温度を下げるように構成され
ている。再生処理部位６０Ｂを通過した排出空気Ｄは、凝縮用熱交換器６６を通るように
構成され、凝縮用熱交換器６６によって水分が凝縮して下方の水受け容器６７へ溜まる。
凝縮用熱交換器６６を通った排出空気Ｄは、出口６５から排出ダクトＤ４を経て、蒸気排
出口７から収納部（収納室）３外へ排出してもよいが、再び電気ヒータ６３で加熱した高
温空気（再生空気）Ｃとして、除湿ロータ６０の再生処理部位６０Ｂを通過させるように
してもよい。水受け容器６７は、除湿装置５０の前面または、蒸気排出装置１の側面から
着脱自在に設けられている。
【００２９】
このように、収納部３内の蒸気発生器具（実施例での電気式湯沸かし器１１Ａ及びまた
は電気式炊飯器１１Ｂ）から発生する蒸気を含んだ暖かい空気は、除湿装置５０が備えた
電動送風機６２の運転によって、第１蒸気吸い込み口６Ａ及び第２蒸気吸い込み口６Ｂか
ら吸い込まれ、共通の蒸気排出ダクトＤ３を通って除湿ロータ６０を通過し、ここで湿気
が奪われ、この湿度が低下した空気は乾燥空気となって、排出ダクトＤ４を経て蒸気排出
口７から収納部（収納室）３外へ排出される。このため、冷媒圧縮方式と同様に、蒸気排
出通路ＪＨＴには、特別に蒸気排出用の送風機を設ける必要がなく、蒸気排出装置１で発
生する蒸気は、除湿装置５０によって除湿されるため、蒸気排出装置１が設置されたキッ
チンなどの部屋に湿気が充満することも防止できる。
【００３０】
次に制御動作について説明する。蒸気排出装置１の電源プラグ２５Ｂを家屋内のコンセ
ントに差し込んだ状態で、蒸気排出装置１に電源が供給された状態となり、電源コンセン
ト１０へ電力が供給された状態である。この状態で、除湿装置５０にも電源が供給される
。電源コンセント１０の差し込み口１０Ａへ湯沸かし器１１Ａの電源プラグを差し込むか
、差し込み口１０Ｂへ炊飯器１１Ｂの電源プラグを差し込み、またはその両方を差し込む
。この状態で、電源の入／切（ＯＮ／ＯＦＦ）スイッチ部１４を押す操作によって、その
スイッチがＯＮしてその信号が制御部１２へ入力され、蒸気発生器具（湯沸かし器１１Ａ
、炊飯器１１Ｂ）が沸騰モードになり、自動標準モードの表示部１６のＬＥＤが点灯し、
制御部１２の動作によって除湿装置５０が定常運転モードとなる。
【００３１】
この定常運転モードにおいて、除湿装置５０が図５に示す冷媒圧縮方式である場合には
、圧縮機５１が始動すると共に電動送風機９Ａが始動し、電動送風機９Ａは定常運転モー
ドである高速運転状態となる。また、除湿装置５０が図６及び図７に示す除湿ロータ方式
である場合は、電動送風機６２が始動して定常運転モードである高速運転状態となり、電
動機６１も始動して除湿ロータ６０が回転すると共に電気ヒータ６３に通電される。
【００３２】
電源コンセント１０の差し込み口１０Ａへ湯沸かし器１１Ａの電源プラグが差し込まれ
た状態、または差し込み口１０Ｂへ炊飯器１１Ｂの電源プラグが差し込まれた状態、また
はその両方が差し込まれた状態かは、電源の入／切（ＯＮ／ＯＦＦ）スイッチ部１４が押
されてスイッチがＯＮしたときに、制御部１２が電源コンセント１０を流れる電流値によ
って、いずれの状態であるかを判断する。
【００３３】
このいずれの状態においても、沸騰モードの終了まで、即ち、多くの蒸気発生となる湯
沸かし器１１Ａの沸き上げ終了及びまたは炊飯器１１Ｂの炊き上げ終了まで、制御部１２
の動作によってこの状態が継続する。そして、制御部１２の動作によって湯沸かし器１１
Ａの沸き上げ終了及びまたは炊飯器１１Ｂの炊き上げ終了となり保温状態になったとき、
すなわち、沸騰モードの終了によって、電源コンセント１０の電力が低下するため、制御
部１２がこの状態を検出して、除湿装置５０を停止モードとするか、停止前の後排気運転
モードとする。
【００３４】
この沸騰モードの終了によって、制御部１２が除湿装置５０を停止モードとする制御は
、除湿装置５０が図５に示す冷媒圧縮方式である場合は、圧縮機５１と電動送風機９Ａを
停止し、後排気運転モードとする制御は、圧縮機５１は停止するが電動送風機９Ａは、定
常運転モードよりも低速となる低速運転モードに切り替え、電動送風機９Ａは低速回転状
態を所定時間継続した後に運転を停止する。
【００３５】
また、除湿装置５０が図６及び図７に示す除湿ロータ方式である場合は、前記沸騰モー
ドの終了によって、制御部１２が除湿装置５０を停止モードとする制御は、電動送風機６
２、電動機６１及び電気ヒータ６３を非通電とし、後排気運転モードとする制御は、電動
機６１及び電気ヒータ６３は通電のままで、電動送風機６２を定常運転モードよりも低速
となる低速運転モードに切り替え、電動送風機９Ａは低速回転状態を所定時間継続し、こ
の所定時間後に電動機６１、電気ヒータ６３及び電動送風機６２を非通電として運転を停
止する。
【００３６】
このように、制御部１２は、前記沸騰モードになったとき除湿装置５０を定常運転モー
ドとし、前記沸騰モードの終了によって除湿装置５０を停止モードとするか、除湿装置に
設けた送風機を定常運転モードよりも低速となる低速運転モードとする後排気運転モード
とすることにより、蒸気発生器具の動作状態に応じて除湿装置５０を適切な状態に自動運
転制御できるものとなる。なお、動作モードは動作モード選択スイッチ部１５の操作によ
って設定された動作モードを選択して、動作させることができる。
【産業上の利用可能性】
【００３７】
本発明は、上記実施例に示した構成に限定されず、種々の形態の蒸気排出装置に適用で
きるものであり、本発明の技術範囲において種々の形態を包含するものである。
【図面の簡単な説明】
【００３８】
【図１】本発明に係る蒸気排出装置の正面斜視図である。
【図２】本発明に係る蒸気排出ユニットと蒸気排出装置の機体との関係を示す斜視図である。
【図３】本発明に係る蒸気排出ユニットのダクト部材の配置構成を説明する上面斜視図である。
【図４】本発明に係る蒸気排出装置の右側の蒸気排出通路と除湿装置のダクト構成を説明する縦断側面図である。
【図５】本発明に係る冷媒圧縮方式の除湿装置の構成を説明する縦断側面図である。
【図６】本発明に係る除湿ロータ方式の除湿方式の説明図である。
【図７】本発明に係る除湿ロータ方式の除湿装置の構成を説明する縦断側面図である。
【符号の説明】
【００３９】
１・・・・・蒸気排出装置
２・・・・・蒸気排出装置の機体
３・・・・・収納部（収納室）
４・・・・・化粧パネル
６Ａ、６Ｂ・・・・・蒸気吸い込み口
７・・・・・蒸気排出口
９Ａ・・・・電動送風機
１０・・・・電源コンセント
１０Ａ・・・湯沸かし器用の差し込み口
１０Ｂ・・・炊飯器用の差し込み口
１１Ａ・・・湯沸かし器
１１Ｂ・・・炊飯器
１２・・・・制御部
１３・・・・操作パネル
１４・・・・電源の入／切（ＯＮ／ＯＦＦ）スイッチ部
１５・・・・動作モード選択スイッチ部
２５Ｂ・・・電源プラグ
５０・・・・除湿装置
５１・・・・電動圧縮機
５２・・・・コンデンサ
５３・・・・減圧器
５４・・・・エバポレータ
５５・・・・水受け容器
６０・・・・除湿ロータ
６１・・・・電動機
６２・・・・電動送風機
６３・・・・電気ヒータ
６４・・・・入り口
６５・・・・出口
６６・・・・凝縮用熱交換器
６７・・・・水受け容器
Ｄ１・・・・第１蒸気吸い込みダクト
Ｄ２・・・・第２蒸気吸い込みダクト
Ｄ３・・・・共通の蒸気排出ダクト
Ｄ４・・・・排出ダクト
【図１】
2009180387.tif 000003
【図２】
2009180387.tif 000004
【図３】
2009180387.tif 000005
【図４】
2009180387.tif 000006
【図５】
2009180387.tif 000007
【図６】
2009180387.tif 000008
【図７】
2009180387.tif 000009